(57)【特許請求の範囲】
【請求項１】
振動体を有する本体と、一方の端部が前記本体に接続され、前記本体に動力を伝達する動力伝達ホースとを備える、コンクリートの締固め用バイブレータ装置であって、
信号を送信する複数の送信体と、該複数の送信体から前記信号を受信する受信機とを更に備え、
前記複数の送信体は、前記動力伝達ホース上に、前記動力伝達ホースの長さ方向に間隔をおいて設けられ、
前記信号は、前記複数の送信体ごとにそれぞれ異なるＩＤ情報であり、前記受信機は、当該受信機に最も近い前記送信体から前記ＩＤ情報を受信し、
受信した前記ＩＤ情報を基に前記本体の位置を算出する、コンクリートの締固め用バイブレータ装置。
【請求項２】
前記複数の送信体は、パッシブ方式のＲＦＩＤタグである、請求項１に記載のコンクリートの締固め用バイブレータ装置。
【請求項３】
前記複数の送信体は、前記動力伝達ホースの長さ方向に、螺旋状のパターンを設定し、このパターン上に間隔を置いて配置されている、請求項１または２に記載のコンクリートの締固め用バイブレータ装置。
【請求項４】
前記複数の送信体は、前記動力伝達ホースの長さ方向に、位置をずらして配置された複数条の螺旋状のパターンを設定し、このパターン上に間隔を置いて配置されている、請求項１または２に記載のコンクリートの締固め用バイブレータ装置。
【請求項５】
前記受信機が、作業者用の手袋に設けられている、請求項１から４のいずれか一項に記載のコンクリートの締固め用バイブレータ装置。
【請求項６】
ＧＰＳ受信部と、前記動力伝達ホースの他方の端部が接続された動力源、及び表示装置とを更に備え、
該動力源は電流モニタと送信回路を備え、
前記電流モニタは前記動力源が駆動した時間を計測し、
前記送信回路は前記時間を送信し、
前記表示装置は前記時間を受信してこれを基に締固め情報を表示する、請求項１から５のいずれか一項に記載のコンクリートの締固め用バイブレータ装置。
【請求項７】
前記複数の送信体の各々の、前記ＩＤ情報と、本体からの相対位置との対応関係を保持し、受信した前記ＩＤ情報から当該対応関係を基に前記本体の位置を算出する、請求項１から６のいずれか一項に記載のコンクリートの締固め用バイブレータ装置。
【請求項８】
振動体を有する本体と、一方の端部が前記本体に接続され、前記本体に動力を伝達する動力伝達ホースと、信号を送信する複数の送信体と、該複数の送信体から前記信号を受信する受信機と、を備え、前記複数の送信体は、前記動力伝達ホース上に、前記動力伝達ホースの長さ方向に間隔をおいて設けられる、コンクリートの締固め用バイブレータ装置を用いて、前記本体の位置を測定する、コンクリートの締固め用バイブレータの位置測定方法であって、
前記信号は、前記送信体ごとにそれぞれ異なるＩＤ情報であり、
前記複数の送信体のうち前記受信機に最も近い送信体から、前記受信機が前記信号を受信すること、
受信した前記ＩＤ情報を基に前記本体の位置を算出すること、
を含む、コンクリートの締固め用バイブレータの位置測定方法。
【請求項９】
前記複数の送信体は、パッシブ方式のＲＦＩＤタグである、請求項８に記載のコンクリートの締固め用バイブレータの位置測定方法。
【請求項１０】
前記複数の送信体の各々の、前記ＩＤ情報と、本体からの相対位置との対応関係を保持し、受信した前記ＩＤ情報から当該対応関係を基に前記本体の位置を算出する、請求項８または９に記載のコンクリートの締固め用バイブレータの位置測定方法。
【発明の詳細な説明】
【技術分野】
【０００１】
本発明は、コンクリートの締固め用バイブレータ装置及びコンクリートの締固め用バイブレータの位置測定方法に関するものである。
【背景技術】
【０００２】
壁やスラブなどに関するコンクリート工事一般において、打設したコンクリートを締固めるに当たり、動力源とバイブレータ本体が、柔軟性のあるシャフトを収容したホースなどにより接続された、フレキシブル型バイブレータが広く用いられている。
【０００３】
特許文献１には、整流子モータとギアボックスを有する動力源に、振動体が、ホースに収容された駆動用フレキシブルシャフトを介して接続された、フレキシブル型バイブレータが開示されている。
【先行技術文献】
【特許文献】
【０００４】
【特許文献１】特開２０１１−２３６６６７号公報
【発明の概要】
【発明が解決しようとする課題】
【０００５】
上述したような従来のフレキシブル型バイブレータにおいては、コンクリート内に挿入されたバイブレータ本体の正確な位置を把握することが難しい。例えば壁などの施工において、どの高さをどの程度締固めたのかを、管理することが難しい。
バイブレータ本体の位置の把握に関しては、例えばホースの外側に一定間隔に、ビニールテープなどによって目印を付け、施工中に、ホースのコンクリートから露出している部分に付けられた目印を参照する方法が、行われている。また、ホースにスケールを添わせることも可能ではある。しかし、目印やスケールは施工中にコンクリートによって汚れるため、繰り返しての使用が難しく、特に、目印は剥離する可能性があるため、信頼性に欠ける。また、いずれの手法も、位置測定のための余計な手間が必要となり、現実的ではない。
【０００６】
バイブレータ本体に何らかの信号を発信できる送信機を組み込み、当該送信機と作業者が保持する受信機との間で無線で信号を送受することによって位置を認識することも考えられる。しかし、締固め作業中には、送信機と受信機の間にはコンクリートや金属などが介在するため、これらの物質の影響で、信号の送受信の信頼性が低くなる可能性がある。
【０００７】
締固めの程度に関しては、施工中に、締固めに要した時間を計測することも可能であるが、作業に手間を必要とする。
【０００８】
したがって、バイブレータ本体の挿入位置の調整や、当該位置で十分に締固めが行われたか否かの判断は、現状においては作業員の勘と経験に依存しているため、締固めが不足したことに起因する施工不良などの問題が発生する可能性がある。
【０００９】
また、例えばダム建設のような広大な場所にコンクリートの打設を行う場合においては特に、バイブレータ本体の深さ位置だけではなく、締固めを行った水平位置の管理も重要である。
現状においては、作業員あるいは現場監督間の、目視による確認と口頭による伝達によって、どの場所をどの程度締固めたのかを報告、管理しているが、報告や管理の人為的な誤りにより、締固めを行わなかった、あるいは十分に行われなかった場所が発生する可能性もある。
【００１０】
更に、上記のいずれの場合においても、締固めを行った位置、程度を記録として残すのは困難であり、手間がかかる。仮に記録を残したとしても、後日記録を参照したり、様々な現場に関して何らかの統計を取ったりする場合に、その作業を容易に行うことは難しい。
【００１１】
本発明の課題は、バイブレータ本体の位置を正確に測定することである。
【課題を解決するための手段】
【００１２】
本発明は、上記課題を解決するため、以下の手段を採用する。
すなわち、本発明は、振動体を有する本体と、一方の端部が前記本体に接続され、前記本体に動力を伝達する動力伝達ホースとを備える、コンクリートの締固め用バイブレータ装置であって、信号を送信する複数の送信体と、該複数の送信体から前記信号を受信する受信機とを更に備え、前記複数の送信体は、前記動力伝達ホース上に、前記動力伝達ホースの長さ方向に間隔をおいて設けられる、コンクリートの締固め用バイブレータ装置を提供する。
このような構成によれば、動力伝達ホース上に、動力伝達ホースの長さ方向に間隔をおいて設けられた、送信体の各々が送信する信号を、受信機が受信して識別することができるため、受信した信号に基づいて、本体と送信体との距離、すなわち本体の受信機からの相対位置を正確に把握することができる。
また、送信体が送信する信号を受信機が受信することにより本体の位置の把握が可能となるため、汚れに影響されず繰り返しての使用も可能である。また、作業者が無意識のうちに位置の測定を行うことが可能となり、締固めの作業効率が悪化しない。
更に、送信体は動力伝達ホース上に設けられるため、作業者は受信機を動力伝達ホースに近づけることで本体の位置測定が可能となる。すなわち、送信体と受信機との間に多量のコンクリートや金属が介在しないため、正確で信頼性の高い動作が期待できる。
【００１３】
前記複数の送信体は、前記動力伝達ホースの長さ方向に、螺旋状のパターンを設定し、このパターン上に間隔を置いて配置されてもよい。
このような構成によれば、送信体の効率的な配置が可能となり、装置を安価に製造することが可能となる。
【００１４】
前記複数の送信体は、前記動力伝達ホースの長さ方向に、位置をずらして配置された複数条の螺旋状のパターンを設定し、このパターン上に間隔を置いて配置されてもよい。
このような構成によれば、送信体の効率的な配置を可能としながらも、動力伝達ホースの、送信体が配置されていない部位を少なくすることができるので、装置の安価な製造と、位置測定の信頼性向上を両立することが可能となる。
【００１５】
前記受信機が、作業者用の手袋に設けられてもよい。
このような構成によれば、作業者は通常使用する装備を使用するだけで、無意識のうちに位置の測定を行うことが可能となり、作業効率が悪化しない。
【００１６】
前記装置は、ＧＰＳ受信部と、前記動力伝達ホースの他方の端部が接続された動力源とを更に備え、該動力源は電流モニタと送信回路を備え、前記電流モニタは前記動力源が駆動した時間を計測し、前記送信回路は前記時間を送信してもよい。
このような構成によれば、作業者の作業位置を特定できるため、広大な現場であっても、締固めを行った場所の水平位置の管理が容易にできる。
また、締固めに要した時間を正確に計測、閲覧できるため、作業員の誤りによる締固めの不足を防止することができる。
【００１７】
また、本発明は、振動体を有する本体と、一方の端部が前記本体に接続され、前記本体に動力を伝達する動力伝達ホースと、信号を送信する複数の送信体と、該複数の送信体から前記信号を受信する受信機と、を備え、前記複数の送信体は、前記動力伝達ホース上に、前記動力伝達ホースの長さ方向に間隔をおいて設けられる、コンクリートの締固め用バイブレータ装置を用いて、前記本体の位置を測定する、コンクリートの締固め用バイブレータの位置測定方法であって、前記複数の送信体のうち前記受信機に最も近い送信体から、前記受信機が前記信号を受信することにより位置を検出すること、を含む、コンクリートの締固め用バイブレータの位置測定方法を提供する。
このような構成によれば、動力伝達ホース上に、動力伝達ホースの長さ方向に間隔をおいて設けられた、送信体の各々が送信する信号を、受信機が受信して識別することができるため、受信した信号に基づいて、本体と送信体との距離、すなわち本体の受信機からの相対位置を正確に把握することができる。
また、送信体が送信する信号を受信機が受信することにより本体の位置の把握が可能となるため、汚れに影響されず繰り返しての使用も可能である。また、作業者が無意識のうちに位置の測定を行うことが可能となり、締固めの作業効率が悪化しない。
更に、送信体は動力伝達ホース上に設けられるため、作業者は受信機を動力伝達ホースに近づけることで本体の位置測定が可能となる。すなわち、送信体と受信機との間に多量のコンクリートや金属が介在しないため、正確で信頼性の高い動作が期待できる。
【発明の効果】
【００１８】
本発明によれば、バイブレータ本体の位置を正確に測定することが可能となる。
【図面の簡単な説明】
【００１９】
【図１】本発明の実施形態として示したバイブレータ装置を示す。
【図２】前記実施形態として示したバイブレータ装置の、動力伝達ホースの断面図を示す。
【図３】前記実施形態として示したバイブレータ装置における、送信体の配置例を示す。
【図４】前記実施形態として示したバイブレータ装置の使用状態を示す概念図である。
【図５】前記実施形態として示したバイブレータ装置の、受信機の変形例を示す。
【図６】前記実施形態として示したバイブレータ装置を使用した、バイブレータ位置測定システムの概念図である。
【発明を実施するための形態】
【００２０】
以下、本発明について図面を参照して詳細に説明する。
【００２１】
図１は、本発明の実施形態として示したコンクリートの締固め用バイブレータ装置１を示す。バイブレータ装置１は、本体２と、動力伝達ホース３と、図示しない動力源と、複数の送信体４、及び、受信機５を備える。
本体２は、振動体、すなわちバイブレータを有する。
動力伝達ホース３は、一方の端部が本体２に接続され、他方の端部は動力源に接続される。動力伝達ホース３は、動力源が生成する動力を、本体２に伝達する。
【００２２】
図２は、動力伝達ホース３の断面図である。動力伝達ホース３は、ゴムなどの保護外皮１０、及びフレキシブルシャフト１１を備える。保護外皮１０、及びフレキシブルシャフト１１が双方ともフレキシブルな材質または構造となっているため、動力伝達ホース３は曲げやすく、したがって作業者は、本体２を任意の場所に容易に挿入、設置することが可能である。
【００２３】
動力伝達ホース３は、保護外皮１０とフレキシブルシャフト１１の間に挟む形で、複数の送信体４を有する。送信体は、何らかの信号を送信する物であればどのようなものでも構わない。以下では、説明を簡単にするために、送信体４はパッシブ方式のＲＦＩＤタグ４であるものとする。図２においては、動力伝達ホース３の、本体２からの同一の相対位置の、異なる半径方向に、複数のＲＦＩＤタグ４が配置された例である。
複数のＲＦＩＤタグ４の各々は、それぞれ異なる情報、例えばＩＤ情報を送信する。ＲＦＩＤタグ４は、図１に示されるように、動力伝達ホース３上に、動力伝達ホース３の長さ方向に間隔をおいて設けられる。
【００２４】
ＲＦＩＤタグ４は、動力伝達ホース３の長さ方向に、螺旋状のパターンを設定し、このパターン上に間隔を置いて配置されてもよい。螺旋状のパターンの、動力伝達ホース３の長さ方向軸に対する角度は、３０°〜６０°、特に４５°が好ましい。後述のように、ＲＦＩＤタグ４が送信するＩＤ情報を、作業者の手に装着される手袋に設けられた受信機５を用いて受信するが、作業者が動力伝達ホース３を把持して動力伝達ホース３を押し引きするときの、手と動力伝達ホース３とが成す角度が４５°に近い角度であるためである。この角度は、３０°〜６０°に限られない。
【００２５】
ＲＦＩＤタグ４は、動力伝達ホース３の長さ方向に、位置をずらして配置された複数条の螺旋状のパターンを設定し、このパターン上に間隔を置いて配置されてもよい。この場合の配置例を図３に示す。図３においては、ＲＦＩＤタグ４が、２条の螺旋状のパターンで配置されている。
【００２６】
図１に示される受信機５は、アンテナ６、電子回路７、及び表示パネル８を有する。アンテナ６は、ＲＦＩＤタグ４が送信するＩＤ情報を受信する。本実施形態における受信機５は手袋に設けられており、そのため、アンテナ６は曲げることが可能な構造を有している。
【００２７】
図４は、受信機５による、ＲＦＩＤタグ４からの信号の受信の様子を示す。作業者が、受信機５が設けられた手袋を手に装着した状態で、動力伝達ホース３を把持する。この時、受信機５のアンテナ６に最も近いＲＦＩＤタグ４のＩＤ情報が、アンテナ６により受信される。
【００２８】
図５は、受信機５が３つのアンテナ６を備える変形例である。このようなアンテナの配置によれば、例えば動力伝達ホース３の、本体２からの同一の相対位置に、ＲＦＩＤタグ４が一つしか配置されていない場合であっても、動力伝達ホース３の回転位置に依存せず、安定した受信精度を有することが可能となる。
【００２９】
受信機５の電子回路７は、受信したＩＤ情報を基に、様々な信号処理を行う。例えば、各ＲＦＩＤタグ４のＩＤ情報と、当該ＲＦＩＤタグ４の本体２からの相対位置との対応関係を、内部に保持するように実現することができる。更に、作業者の身長もしくは作業時の手の位置などの、コンクリート表面からの受信機５の相対的な位置が認識できる情報を予め記録しておき、受信したＩＤ情報を有するＲＦＩＤタグ４の本体２からの相対位置と、コンクリート表面からの受信機５の相対的な位置から、コンクリート内の本体２の位置を算出するように構成されてもよい。
【００３０】
図１に示される、受信機の表示パネル８は、電子回路７が算出した本体２の位置に関する情報などを表示する。
【００３１】
次に、本実施形態に基づいて、バイブレータ装置１を使用して、本体２の位置を測定する手順について記載する。
【００３２】
まず、作業者が、打設したコンクリート内に動力伝達ホース３を挿入し、この動力伝達ホース３を押し引きして、本体２を、締固めを行いたい場所に設置する。
本体２の設置後、適切な時間、当該場所の締固めを行う。
【００３３】
締固め作業中には、作業者は動力伝達ホース３の一定箇所を把持したままである。作業者が手に装着した手袋に設けられる受信機５のアンテナ６が、同一のＲＦＩＤタグ４が送信したＩＤ情報を一定時間受信し続けた場合に、受信機５の電子回路７は、作業者が、当該ＲＦＩＤタグ４に相当する位置において、締固め作業を実施していると判断する。
【００３４】
受信機５の電子回路７は、受信したＩＤ情報を基に、当該ＩＤ情報を有するＲＦＩＤタグ４の本体２からの相対位置を算出する。
電子回路７は更に、上記算出した相対位置と、コンクリート表面からの受信機５の相対的な位置情報から、コンクリート内の本体２の位置を算出する。
【００３５】
受信機５の表示パネル８は、電子回路７が算出した本体２の位置に関する情報などを表示する。
【００３６】
上述したような構成のバイブレータ装置１によれば、動力伝達ホース３上に、動力伝達ホース３の長さ方向に間隔をおいて設けられた、ＲＦＩＤタグ４の各々が送信するＩＤ情報を、受信機５が受信して識別することができるため、受信したＩＤ情報に基づいて、本体２とＲＦＩＤタグ４との距離、すなわち本体２の受信機５からの、深さなどの相対位置を正確に把握することができる。
また、ＲＦＩＤタグ４が送信するＩＤ情報を受信機５が受信することにより本体２の位置の把握が可能となるため、汚れに影響されず繰り返しての使用も可能である。また、作業者が無意識のうちに位置の測定を行うことが可能となり、作業効率が悪化しない。
更に、ＲＦＩＤタグ４は動力伝達ホース３上に設けられるため、作業者は受信機５をホースに近づけることで本体の位置測定が可能となる。すなわち、ＲＦＩＤタグ４と受信機５との間に多量のコンクリートや金属が介在しないため、正確で信頼性の高い動作が期待できる。
【００３７】
また、図３に示されるようなパターンで、ＲＦＩＤタグ４が配置されているため、送信体の効率的な配置を可能としながらも、動力伝達ホースの、送信体が配置されていない部位を少なくすることができるので、装置の安価な製造と、位置測定の信頼性向上を両立することが可能となる。
【００３８】
また、受信機５は作業者の手袋に設けられているため、作業者は通常使用する装備を使用するだけで、無意識のうちに位置の測定を行うことが可能となり、作業効率が悪化しない。
【００３９】
また、送信体としてはパッシブ方式のＲＦＩＤタグ４を使用したため、送信体への給電、充電が不要となり、装置を使い続けるに当たり、特にメンテナンスを必要としない。また、ＲＦＩＤタグ４や、リーダーすなわちアンテナ６は、量産されたものであり安価なため、装置を安価に製造することができる。
【００４０】
また、各ＲＦＩＤタグ４は、それぞれ異なるＩＤ情報を送信するため、受信機５が誤ったＲＦＩＤタグ４を識別することによって、本体２の位置を誤って計算することを防止することができる。
【００４１】
本実施形態においては、ＲＦＩＤタグ４はパッシブ形式のものを使用したが、これに限られない。
ＲＦＩＤタグ４としては、１３．５６ＭＨｚまたは１３５ｋＨｚ以下の、電磁誘導方式のものを使用すると、ＲＦＩＤタグ４の読取りの障害となる、動力伝達ホース３周辺に付着したモルタルや金属などの影響を低減できるので、好ましいが、これに限られない。
また、この場合、ＲＦＩＤタグ４の間隔は、１０〜２０ｃｍが好ましいが、これに限られず、アンテナ６の探知範囲に複数のＲＦＩＤタグ４が入ることがない限り、ＲＦＩＤタグの規格、測定したい本体２の位置の測定粒度や、コストなどを基に、適切に選択してもよい。
【００４２】
動力伝達ホース３内へのＲＦＩＤタグ４の埋め込みは、例えば、予めテープ状のものに一定間隔でＲＦＩＤタグ４を並べたものを作成し、これを保護外皮１０取付前の、あるいは一旦取り付けられた保護外皮１０を剥がしたフレキシブルシャフト１１に貼り付けることで、簡単に実施することが可能である。
【００４３】
本実施形態においては、受信機５は、作業者が装着する手袋に設けられていたが、これに限られず、作業時に装着する手袋とは別に、例えば棒状、または輪状の、受信機５を用意して、これを使用してもよい。
【００４４】
次に、図６を用いて、バイブレータ位置測定システムの実施形態を示す。
バイブレータ位置測定システム２０は、バイブレータ装置２１と、表示装置２４を用いて、本体２の位置測定及び表示を行う。
【００４５】
本実施形態におけるバイブレータ装置２１は、上記の実施形態におけるバイブレータ装置１と異なり、表示パネルを有さず、その代わり、受信機２２が、受信したＩＤ情報を更に送信する、送信回路２６を備える。これに伴い、受信機２２の電子回路２７は、上記の実施形態における電子回路７と異なり、受信したＩＤ情報を信号処理せずに、送信回路２６を介して、そのまま後述の表示装置２４に送信する。
また、本実施形態におけるバイブレータ装置２１は、上記の実施形態におけるバイブレータ装置１と異なり、ＧＰＳ受信部２８を更に備える。受信機２２の電子回路２７は、上記の実施形態における電子回路７と異なり、ＧＰＳ受信部２８が受信した作業者位置情報を、表示装置２４に送信する。
更に、本実施形態におけるバイブレータ装置２１は、上記の実施形態におけるバイブレータ装置１と異なり、動力源２３が電流モニタ２９と送信回路３０を備えている。電流モニタ２９は本体２が駆動される時間を測定し、送信回路３０に送信する。送信回路３０は、受信した時間情報を、表示装置２４に送信する。
これらの差異以外においては、本実施形態におけるバイブレータ装置２１は、上記の実施形態におけるバイブレータ装置１と同じ構成を有する。
【００４６】
表示装置２４は、受信部３１、計算部３２、及び、表示部３３を備える。
表示装置２４の受信部３１は、バイブレータ装置２１の受信機２２の送信回路２６から送信されたＩＤ情報と作業者位置情報、及び、バイブレータ装置２１の動力源２３の送信回路３０から送信された時間情報を受信し、計算部３２に送信する。
【００４７】
計算部３２は、受信部３１から送信されたＩＤ情報、作業者位置情報、及び時間情報を受信する。
計算部３２には、各ＲＦＩＤタグ４のＩＤ情報と、当該ＲＦＩＤタグ４の本体２からの相対位置との対応関係が、記録されている。
また、計算部３２には、作業者の身長もしくは作業時の手の位置などの、コンクリート表面からの受信機２２の相対的な位置が認識できる情報が、予め記録されている。
計算部３２は、予め記録されている上記の情報を基に、受信したＩＤ情報を有するＲＦＩＤタグ４の本体２からの相対位置と、コンクリート表面からの受信機２２の相対的な位置から、コンクリート内の本体２の位置、例えば深さを算出する。
計算部３２は、受信部３１から受信した作業者位置情報を基に、作業者の位置を特定する。
計算部３２は、更に、受信部３１から受信した時間情報を基に、締固めに要した時間を特定する。
計算部３２は、特定された作業者の位置と、本体２の位置、及び時間を、表示部３３に送信する。
【００４８】
表示部３３は、計算部３２から受信した作業者の位置と、本体２の位置、及び時間を基に、締固め情報２５を表示する。締固め情報２５は、例えば図６に示されるように、コンクリートの締固めが行われる区画の俯瞰図が、区画に区切られた形で表示され、各区画内は、当該区画内で締固め作業が行われた場合、その作業時間の程度によって濃淡が変わるように、着色される。
【００４９】
次に、本実施形態に基づいて、バイブレータ位置測定システム２０を使用して、本体２の位置を測定する手順について記載する。
【００５０】
まず、作業者が、打設したコンクリート内に動力伝達ホース３を挿入し、この動力伝達ホース３を押し引きして、本体２を、締固めを行いたい場所に設置する。
本体２の設置後、適切な時間、当該場所の締固めを行う。
【００５１】
受信機２２のアンテナ６が、ＲＦＩＤタグ４が送信したＩＤ情報を受信すると、受信機２２の電子回路２７は、送信回路２６を介して、ＩＤ情報と、ＧＰＳ受信部２８が取得した作業者位置情報を、表示装置２４に送信する。
また、動力源２３の電流モニタ２９が、本体２が駆動される時間を測定し、送信回路３０を介して時間情報を、表示装置２４に送信する。
【００５２】
表示装置２４の受信部３１は、バイブレータ装置２１の受信機２２の送信回路２６、及び電流源２３の送信回路３０から送信されたＩＤ情報、作業者位置情報、及び時間情報を受信し、計算部３２に送信する。
【００５３】
計算部３２は、受信部３１から送信されたＩＤ情報、作業者位置情報、及び時間情報を受信し、コンクリート内の本体２の位置、作業者位置情報、及び締固めに要した時間を計算する。
計算部３２は、特定された作業者の位置と、本体２の位置、及び時間を、表示部３３に送信する。
【００５４】
表示部３３は、計算部３２から受信した作業者の位置と、本体２の位置、及び時間を基に、締固め情報２５を表示する。
【００５５】
上述したような構成のバイブレータ位置測定システム２０によれば、前記の実施形態におけるバイブレータ装置１と同様に、本体２とＲＦＩＤタグ４との距離、すなわち本体２の受信機５からの、深さなどの相対位置を正確に把握することができる。
また、同様に、作業効率が悪化しない、正確な動作が期待できる、等の効果を奏することが可能となる。
【００５６】
また、本体の位置計算、管理を容易に行うことが可能となる。
上記のように、表示部に、施工場所の地図と重ねて、締固め状況を表示することが可能となり、締固め作業が不足している場所の特定が容易となる。結果として、施工不良などの問題の発生を防ぐことができる。
また、作業結果を電子的に記録として保存することが可能であり、施工状況を容易に確認することができる。このため、施工後のメンテナンスも容易となり、例えば、施工後に不具合が発覚した場合などの原因追及などが迅速に行える。
【００５７】
以上、本発明の好ましい実施の形態について詳細に説明したが、当該技術分野における通常の知識を有する者であればこれから様々な変形及び均等な実施の形態が可能であることが理解できるであろう。
【００５８】
よって、本発明の権利範囲はこれに限定されるものではなく、特許請求の範囲で定義される本発明の基本概念を用いた当業者の様々な変形や改良形態も本発明に含まれる。
【符号の説明】
【００５９】
１、２１        バイブレータ装置
２              本体
３              動力伝達ホース
４              送信体（ＲＦＩＤタグ）
５、２２        受信機
６              アンテナ
７、２７        電子回路
８              表示パネル
１０            保護外皮
１１            フレキシブルシャフト
２０            バイブレータ位置測定システム
２３            動力源
２４            表示装置
２５            締固め情報
２６            受信機の送信回路
２８            ＧＰＳ受信部
２９            電流モニタ
３０            動力源の送信回路
３１            受信部
３２            計算部
３３            表示部
【図１】
0006480181.tif 000002
【図２】
0006480181.tif 000003
【図３】
0006480181.tif 000004
【図４】
0006480181.tif 000005
【図５】
0006480181.tif 000006
【図６】
0006480181.tif 000007